(57)【特許請求の範囲】
【請求項１】
不特定多数のユーザに使用される施設構内に設置されたデジタル放送受信装置であって、
上記装置に装着され、その媒体固有の識別情報を固定記憶し、且つ視聴制限をかけられた放送の解除情報を記憶可能なカード状媒体と、
このカード状媒体の記憶している識別情報と管理用識別情報とを装置の電源投入状態によらず記憶する記憶手段と、
管理用識別情報を入力することにより上記記憶手段が記憶するカード状媒体の識別情報を出力する操作手段と
を具備したことを特徴とするデジタル放送受信装置。
【発明の詳細な説明】
【技術分野】
【０００１】
本発明は、ホテルや旅館等の宿泊施設、あるいは病院施設等で、不特定多数の利用者が視聴制限のかけられたデジタル放送を視聴するデジタル放送受信装置に関する。
【背景技術】
【０００２】
ＢＳデジタル放送、１１０°ＣＳデジタル放送及び地上波デジタル放送を受信する衛星デジタル放送対応のテレビ受像機やチューナ装置では、ＣＡＳ（Ｃｏｎｄｉｔｉｏｎａｌ  Ａｃｃｅｓｓ  Ｓｙｓｔｅｍ）と呼称される、視聴制御システムの機能が予め内蔵されており、所定の業者（（株）ビーエス・コンディショナルアクセスシステムズ）との契約を行なうことで、当該業者が発行及び管理する専用のＩＣカード（以下「Ｂ−ＣＡＳカード」と称する）を装置の所定のカードスロットに挿入すると、無料放送やデータ放送による双方向サービスを始めとする番組の視聴、利用、コピー制御を可能としている。
【０００３】
さらに、別途放送事業者との契約を行なうことで、契約情報をＢ−ＣＡＳカードに記憶させると、ペイ・パー・ビューを含む有料放送等も視聴可能となる。
【０００４】
上記Ｂ−ＣＡＳカードに係るユーザ登録は、テレビ受像機やチューナ装置などの製品購入時に装置に該Ｂ−ＣＡＳカードと共に添付されている登録用のはがきを上記所定の業者に送付するか、上記所定の業者がインターネット上に開設するウェブサイトでＢ−ＣＡＳカードの裏面に記載された２０桁からなるＩＤ番号（以下「カードＩＤ」と称する）等の所定事項を記入することで登録が実行される。
【０００５】
有料番組の視聴に対しては、製品購入時に装置に添付されている各放送事業者の加入申込書、電話、または各放送事業者がインターネット上に開設するウェブサイトで、上記カードＩＤ等の所定事項を記入あるいは通知して契約を行なうことで、視聴が可能となる。
【０００６】
この点をより詳細に説明すると、当該放送事業者が契約を受付けた後、ユーザが上記テレビ受像機またはチューナ装置で契約した放送事業者の番組に合わせて待機すると、早ければ数十分の内に当該事業者から送信されるトランスポートストリーム（ＴＳ）を受信し、受信したトランスポートストリームに対してデマルチプレクサでその中に多重化されている映像等の情報と個別情報のＥＭＭ（Ｅｎｔｉｔｌｅｍｅｎｔ  Ｍａｎａｇｅｍｅｎｔ  Ｍｅｓｓａｇｅ）情報と番組情報、制御情報のＥＣＭ（Ｅｎｔｉｔｌｅｍｅｎｔ  Ｃｏｎｔｒｏｌ  Ｍｅｓｓａｇｅ）情報に分離する。
【０００７】
上記分離したＥＭＭ情報をデコードした上で契約情報を上記Ｂ−ＣＡＳカードに記憶させ、またスクランブルされたＥＣＭ情報をデコードし、映像等の情報のデスクランブル処理を実行することで、契約した有料番組を視聴することが可能となる。
【０００８】
このＢ−ＣＡＳカードに関する技術が、以下の特許文献に詳述されている。（例えば、特許文献１）
【特許文献１】特開平０４−１３８７３５号公報
【発明の開示】
【発明が解決しようとする課題】
【０００９】
一般家庭などでユーザが所持する上記Ｂ−ＣＡＳカードは、上記ユーザの自己管理に委ねられており、万一紛失した場合には、上記所定の業者に届け出て旧カードを無効にした後に新しいカードが再発行される。この場合、旧カードを永久に無効とするために、新しいカードはカードＩＤが更新されるようになっている。
【００１０】
ＢＳデジタル放送や１１０°ＣＳデジタル放送及び地上波デジタル放送を受信する各装置で、上記Ｂ−ＣＡＳカードを装着している状態ではカードＩＤなどの情報を装置側のメモリに読み込んでおり、装置付属のリモコンパッドでのキー操作等により読み込んでいるカードＩＤなどの情報を表示させて確認することができる。
【００１１】
その反面、上記Ｂ−ＣＡＳカードを装置から取り外すと、装置側のメモリに読み込まれていた情報は一括して消去されるため、カードＩＤ等を確認することはできなくなる。
【００１２】
しかるに、ホテルや旅館などの宿泊施設、あるいは病院施設等の不特定多数のユーザが見込まれる施設内では、上述したようなデジタル放送の受信装置を導入するに際して、客室や病床毎に設置する個々の受信装置毎に、Ｂ−ＣＡＳカードを装置外面からは容易に取り外すことができないようにカードスロット等を外部に露出させず、装置内部に装着するものとし、併せて装置のシリアル番号と共に装着したＢ−ＣＡＳカードのカードＩＤを装置底面等のラベルに記入しておくことで管理されているのが実状である。
【００１３】
しかしながら、不測の盗難などで装置から上記Ｂ−ＣＡＳカードが抜き取られ、あるいはＢ−ＣＡＳカードを装着したデジタル放送受信装置自体が紛失してしまった場合、装着されていたＢ−ＣＡＳカードのカードＩＤの内容も失われてしまうものとなり、施設管理者にとってはそれらを容易且つ確実に把握可能とすることが責務となっている。
【００１４】
本発明は上記のような実情に鑑みてなされたもので、その目的とするところは、不特定多数のユーザが利用する、多数のデジタル放送受信装置が設置される施設内で、各装置に装着されているＢ−ＣＡＳカードのカードＩＤなどを確実に管理し、カード自体が失われてしまった場合でもそのカードＩＤを容易に把握することが可能なデジタル放送受信システム及びデジタル放送受信装置を提供することにある。
【課題を解決するための手段】
【００１５】
請求項１記載の発明は、不特定多数のユーザに使用される施設構内に設置されたデジタル放送受信装置であって、上記装置に装着され、その媒体固有の識別情報を固定記憶し、且つ視聴制限をかけられた放送の解除情報を記憶可能なカード状媒体と、このカード状媒体の記憶している識別情報と管理用識別情報とを装置の電源投入状態によらず記憶する記憶手段と、管理用識別情報を入力することにより上記記憶手段が記憶するカード状媒体の識別情報を出力する操作手段とを具備したことを特徴とする。
【発明の効果】
【００１７】
請求項１記載の発明によれば、カード状媒体が失われた場合で確実にその識別情報を出力させることができるため、不特定多数のユーザが利用する、多数のデジタル放送受信装置が設置される施設内で、各装置に装着されているカード状媒体の識別情報などを確実に管理し、カード状媒体自体が失われてしまった場合でもその識別情報を容易に把握することが可能となるのに加えて、ある程度の秘匿性を保ちながら、管理者側がより容易にカード状媒体の識別情報を出力させることができる。
【発明を実施するための最良の形態】
【００１９】
（第１の実施の形態）  
以下本発明を例えばホテル施設館内に設置したデジタル放送受信装置を含むデジタル放送受信システムに適用した場合の第１の実施の形態について図面を参照して説明する。
【００２０】
図１は、ホテル館内の該デジタル放送受信システム全体の構成を示すものである。同図で、ＢＳ・ＣＳ放送アンテナ１で受信し、図示しないコンバータで周波数変換した中間周波信号と、地上波デジタル放送アンテナ２で受信した信号とが混合器３で同一周波数軸上に配列されて混合された後に、混合器６に送られる。
【００２１】
この混合器６にはまた、フロントコンピュータ４からの双方向通信データ回線５が接続されている。
【００２２】
しかるに、混合器６での混合信号がこのシステムの配信網を構成する同軸伝送ライン７を通じて、ホテル館内の各客室ＧＲ内に配置されたデジタル放送受信装置８まで伝送される。
【００２３】
デジタル放送受信装置８は、リモコンパッド１０でのキー操作に対応した選局動作を実行し、モニタ装置９で画像及び音声を再生出力させる。
【００２４】
次いで図２によりフロントコンピュータ４の構成を説明する。同図において、フロントコンピュータ４は、双方向通信データ回線５に接続されたコンピュータ本体１１を中心とし、例えばスピーカを組込んだ液晶ディスプレイでなるモニタ１２、キーボード１３、ポインティングデバイスとしてのマウス１４、プリンタ１５等の一般的なハードウェア構成をとる。
【００２５】
上記コンピュータ本体１１内には、図示しないフラッシュメモリ等の不揮発性メモリを封入したメモリカードを挿入するメモリカードスロットを備え、後述するポーリング処理時にこのメモリカードに記憶される、全デジタル放送受信装置８,８,‥‥に装着されたＢ−ＣＡＳカードのカードＩＤを用いる。
【００２６】
続いて図３により上記客室ＧＲ内のデジタル放送受信装置８の詳細な回路構成について説明する。図中、同軸伝送ライン７から送られてきた信号は分波器２１でＢＳ・１１０°ＣＳ放送の中間周波信号と、地上波デジタル放送の受信信号とに分波され、デジタル放送受信部２２内の図示しないＢＳ・１１０°ＣＳデジタルチューナ及び地上波デジタルチューナに送られる。
【００２７】
デジタル放送受信部２２では、後述する制御部２７からの信号に基づいて、上記リモコンパッド１０での選局操作に対応したチャンネルを上記ＢＳ・１１０°ＣＳデジタルチューナまたは地上波デジタルチューナで選局し、該当するチャンネルのトランスポートストリーム（ＴＳ）を復調して出力する。
【００２８】
しかるにこのデジタル放送受信部２２内では、復調したトランスポートストリームに対し、デマルチプレクサで多重化されている映像等の情報と、個別情報のＥＭＭ情報と番組情報、制御情報のＥＣＭ情報に分離する。
【００２９】
上記分離したＥＭＭ情報をデコードして契約情報を取得し、その取得した契約情報をＣＡＳカードスロット２５に挿入される図示しないＢ−ＣＡＳカードに記憶させ、またスクランブルがかけられているＥＣＭ情報をデコードすることで、映像等の情報のデスクランブル制御を行ない、デジタル放送受信部２２内で時間的に連続した映像データとステレオ音声データとを生成し、生成した映像データを映像出力端子２３より、音声データを音声出力端子２４よりそれぞれ出力する。
【００３０】
これら映像出力端子２３及び音声出力端子２４は、このデジタル放送受信装置８と共に客室内に設置された、上記モニタ装置９のビデオ入力端子、音声入力端子に接続され、このモニタ装置９で映像と音声が再生出力されることで、客室ＧＲのユーザ（宿泊客等）がデジタル放送を視聴可能となる。
【００３１】
このデジタル放送受信装置８は、上述した如くＣＡＳカードスロット２５を備え、Ｂ−ＣＡＳカードを挿入することでホテル管理側が設定したデジタル放送の番組、チャンネルを視聴可能となるものであるが、該ユーザがＢ−ＣＡＳカードを容易に抜き出すことができないように、ＣＡＳカードスロット２５はデジタル放送受信装置８の外面には一切露出せず、内蔵するものとしている。
【００３２】
なお、このＢ−ＣＡＳカードには固有の上記カードＩＤが予め記憶されており、ユーザの識別が可能となっている。
【００３３】
さらにデジタル放送受信装置８には電話回線接続端子２６が接続される。この電話回線接続端子２６は、デジタル放送受信部２２内の図示しないモデムと接続されるもので、デジタル放送受信部２２内の制御に基づいて、データ放送の双方向サービスを行なう場合などにリクエスト情報等を図示しない電話回線を介して発信することも可能となっている。
【００３４】
制御部２７は、ＣＰＵとこのＣＰＵの動作プログラム等を不揮発的に記憶したフラッシュメモリ、及びワークメモリ等から構成され、上記デジタル放送受信部２２と高周波モデム２８、及びリモコン受光部２９と接続されて、このデジタル放送受信装置８全体の制御動作を実行する。
【００３５】
この制御部２７の上記フラッシュメモリ内には、このデジタル放送受信装置８の固有のアドレス番号が記憶されており、このアドレス番号によりフロントコンピュータ４が他の客室ＧＲのデジタル放送受信装置８と識別することが可能となっている。
【００３６】
高周波モデム２８は、上記同軸伝送ライン７、双方向通信データ回線５を介して接続されるフロントコンピュータ４と、高周波ＦＳＫ変調で上り／下りの両データ通信による双方向通信機能を実現するもので、フロントコンピュータ４からの下りデータ通信で当該デジタル放送受信装置８に対する視聴制限等の制御情報、各種設定情報を受信し、フロントコンピュータ４への上りデータ通信で有料番組を視聴した課金情報や応答情報等を送信する。
【００３７】
リモコン受光部２９は、上記リモコンパッド１０でのキー操作に対応した赤外線変調信号を受信、復調してその操作内容を上記制御部２７へ送出する。
【００３８】
次に上記実施の形態の動作について説明する。  
尚、上述した如く上記複数のデジタル放送受信装置８，８，‥‥が、いずれもその客室ＧＲの番号に対応したアドレス番号を制御部２７内のフラッシュメモリに記憶している一方で、フロントコンピュータ４も全室の上記客室番号に対応したアドレス番号をテーブルとしてメモリカードに記憶しており、通常はポーリング処理により各デジタル放送受信装置８と個別に通信する。
【００３９】
図４は、フロントコンピュータ４が各客室ＧＲ,ＧＲ,‥‥毎に設置されているデジタル放送受信装置８,８,‥‥に対して実施するポーリング処理の内容を示すものである。
【００４０】
図５は、この一連のポーリング処理を実行する前にフロントコンピュータ４のメモリカードに記憶されている、各デジタル放送受信装置８に装着されたＢ−ＣＡＳカードに関する初期のテーブルを示すもので、「客室番号」「受信装置アドレス番号」「登録カードＩＤ」及び「取得カードＩＤ」の４つの項目を全客室分だけ記憶している。これらの項目のうち、「取得カードＩＤ」に関してはポーリング処理前であるので図示する如くいずれも空欄となっている。
【００４１】
しかして、ポーリング処理の当初には、まずデジタル放送受信装置８を指定するアドレスｎに初期値「０１０１」を挿入する（ステップＡ０１）。  
その後、アドレスｎに従ったデジタル放送受信装置８に対して、所定のフォーマットのポーリング送信により、その時点で装着しているＢ−ＣＡＳカードのカードＩＤを返信する要求信号を送信し、その要求に対する応答としてカードＩＤを返信してくるとそれを取得して上記テーブルの「取得カードＩＤ」の項目に記憶させる（ステップＡ０２）。
【００４２】
その後、その時点でのアドレスｎの値が最終値「Ｎ」となっているか否かによりすべてのデジタル放送受信装置８からのＢ−ＣＡＳカードのカードＩＤの取得が終了したか否かを判断する（ステップＡ０３）。
【００４３】
アドレスｎの値が最終値「Ｎ」となっておらず、すべてのカードＩＤの取得がまだ終了していないと判断すると、アドレスｎの値を「＋１」更新設定した上で（ステップＡ０４）、再び上記ステップＡ０２からの処理に戻る。
【００４４】
こうしてステップＡ０２〜Ａ０４の処理を繰返し実行することにより、すべての客室ＧＲ，ＧＲ，‥‥に設置されているデジタル放送受信装置８，８，‥‥からそれぞれその時点で装着しているＢ−ＣＡＳカードのカードＩＤを取得してメモリカードのテーブルに記憶する。
【００４５】
そして、アドレスｎの値が「Ｎ」であり、カードＩＤの取得が終了するとステップＡ０３でこれを判断し、テーブル中の各デジタル放送受信装置８毎に「登録カードＩＤ」と「取得カードＩＤ」の内容を照合し（ステップＡ０５）、その結果、それらすべてが一致したか否かを判断する（ステップＡ０６）。
【００４６】
ここで、すべての客室ＧＲ，ＧＲ，‥‥に設置されているデジタル放送受信装置８，８，‥‥から取得した、その時点で装着しているＢ−ＣＡＳカードのカードＩＤが対応する登録カードＩＤと一致したと判断した場合には、なんら異常は発生していないものとしてモニタ１２で異常なしのメッセージ表示を行ない（ステップＡ０７）、以上で一連の図４の処理を終了して、上記ステップＡ０１に戻り、同様に次のポーリング処理を実行する。
【００４７】
図６は、取得したカードＩＤが登録カードＩＤとすべて一致した場合にフロントコンピュータ４のコンピュータ本体１１に装着されているメモリカードに記憶されるテーブルの内容を例示するものである。
【００４８】
この場合、フロントコンピュータ４のモニタ１２では、例えば「カードＩＤ異常なし」のような文字メッセージがその判断した時点での時刻データと共に表示されることとなる。
【００４９】
また、上記ステップＡ０６ですべての客室ＧＲ，ＧＲ，‥‥に設置されているデジタル放送受信装置８，８，‥‥から取得した、その時点で装着しているＢ−ＣＡＳカードのカードＩＤと対応する登録カードＩＤとの少なくとも１つが一致しないと判断した場合には、なんらかの異常が発生したものとして、モニタ１２でその異常が発生した客室ＧＲを報知するような異常ありのメッセージ表示を行なうと共に、プリンタ１５でもその内容をプリントアウトする（ステップＡ０８）。
【００５０】
図７は、取得したカードＩＤと登録カードＩＤの一部が一致していない場合にフロントコンピュータ４のコンピュータ本体１１に装着されているメモリカードに記憶されるテーブルの内容を例示するものである。
【００５１】
この場合、客室番号「２０２」、アドレス番号「０２０２」の取得カードＩＤが、図中にハッチングで示すように予め記憶されていた登録カードＩＤと一致していないことがわかる。
【００５２】
因みに、この場合の取得カードＩＤの内容「００００  ００００  ‥‥００００」は、正確には当該デジタル放送受信装置８のＣＡＳカードスロット２５にＢ−ＣＡＳカードが装着されておらず、カードＩＤを読出すことができなかったことを例示している。
【００５３】
また、デジタル放送受信装置８のＣＡＳカードスロット２５にＢ−ＣＡＳカードが装着されていないのではなく、デジタル放送受信装置８自体がなんらかの理由で客室ＧＲから消失してしまった場合には、フロントコンピュータ４からのポーリング処理に応答することができないので、フロントコンピュータ４ではこれを判断してその旨を示す別の取得カードＩＤとしてテーブルに記憶させる。
【００５４】
このような異常の発生を検出した場合にフロントコンピュータ４のコンピュータ本体１１では、上記テーブル中の「客室番号」「登録カードＩＤ」「取得カードＩＤ」の各情報と異常検出した日時のデータとを一組のデータとして作成し、これにしたがって異常が発生した客室ＧＲを特定するようなメッセージとデータとを図８に示すようにモニタ１２に表示させる。
【００５５】
併せてコンピュータ本体１１は、図９に示すようにプリンタ１５でも異常を検出したＩＤカードに関するデータをプリントアウトするもので、カードＩＤに異常が発生したこととその検出日時、客室番号と登録カードＩＤ、及び取得カードＩＤを印字している。
【００５６】
したがって、フロントコンピュータ４を扱うホテル側の管理業務者は、表示及びプリントアウトされた内容から、客室「２０２」に設置されたデジタル放送受信装置８のＢ−ＣＡＳカードがＣＡＳカードスロット２５から抜き取られていることを把握できる。
【００５７】
このように、このホテルのフロントコンピュータ４で、各客室ＧＲ，ＧＲ，‥‥に設置されているデジタル放送受信装置８，８，‥‥それぞれが装着しているＢ−ＣＡＳカードのカードＩＤを予め記憶しておき、ポーリング処理等によりその時点でそれぞれが装着しているＢ−ＣＡＳカードのカードＩＤを取得してそれらを対応付けて照合し、合致しないものを異常が発生したものとして検出して報知するようにした。
【００５８】
したがって、予め記憶しておいた登録カードＩＤと合致しないカードＩＤとなる端末側の装置をモニタ１２の画面上でより容易に認識することができ、Ｂ−ＣＡＳカード自体が失われてしまった場合でもそのカードＩＤを容易に把握し得る。
【００５９】
また、上記実施の形態では、異常を検出した場合のみ上記図８及び図９に示した如くその登録カードＩＤと取得カードＩＤとをモニタ１２に表示させ、プリンタ１５でプリントアウトするものとして説明したが、異常の検出の有無によらず、上記図６または図７でテーブルの内容を示した如く全客室ＧＲ，ＧＲ，‥‥のデジタル放送受信装置８，８，‥‥毎に登録カードＩＤと取得カードＩＤとを対応付けて表示させるものとしてもよい。
【００６０】
なお、上記実施の形態では、フロントコンピュータ４のコンピュータ本体１１に装着されたメモリカードに、予めすべての客室ＧＲ，ＧＲ，‥‥に設置されているデジタル放送受信装置８，８，‥‥それぞれが装着しているＢ−ＣＡＳカードのカードＩＤを予め記憶しておくものとして説明したが、その記憶作業としては、フロントコンピュータの管理業務者がキーボード１３でスーパーバイザモードで個々にカードＩＤをキー入力するものとしてもよいし、または各デジタル放送受信装置８，８，‥‥を客室ＧＲ，ＧＲ，‥‥に設置して電源を投入した際、あるいは新たなＢ−ＣＡＳカードを装着した際などにフロントコンピュータ４のポーリング処理により自動的にＢ−ＣＡＳカードのカードＩＤをアップロードして記憶させるようにしてもよい。
【００６１】
（第２の実施の形態）  
以下本発明を例えばホテル施設館内に設置したデジタル放送受信装置に適用した場合の第２の実施の形態について図面を参照して説明する。
【００６２】
図１０は、ホテル館内のデジタルテレビ放送システムを経由して放送信号を受け取るデジタル放送受信装置の構成を示すものである。同図で、ＢＳ・ＣＳ放送アンテナ３１で受信し、図示しないコンバータで周波数変換した中間周波信号と、地上波デジタル放送アンテナ３２で受信した信号とが混合器３３で同一周波数軸上に配列されて混合された後に、このシステムの配信網を構成する同軸伝送ライン３４を通じて、ホテル館内の各客室内に配置されたデジタル放送受信装置３５まで伝送される。
【００６３】
デジタル放送受信装置３５は、リモコンパッド３６での操作に対応した選局動作を実行するもので、同軸伝送ライン３４から送られてきた信号は分波器４１でＢＳ・ＣＳ放送の中間周波信号と、地上波デジタル放送の受信信号とに分波され、デジタル放送受信部４２の図示しないＢＳ・ＣＳデジタルチューナ及び地上波デジタルチューナに送られる。
【００６４】
デジタル放送受信部４２では、後述する制御部４７からの信号に基づいて、上記リモコンパッド３６での選局操作に対応したチャンネルを上記ＢＳ・ＣＳデジタルチューナまたは地上波デジタルチューナで選局し、該当するチャンネルのトランスポートストリーム（ＴＳ）を復調して出力する。
【００６５】
しかるにこのデジタル放送受信部４２内では、復調したトランスポートストリームに対し、デマルチプレクサで多重化されている映像等の情報と、個別情報のＥＭＭ情報と番組情報、制御情報のＥＣＭ情報に分離する。
【００６６】
上記分離したＥＭＭ情報をデコードして契約情報を取得し、その取得した契約情報をＣＡＳカードスロット４５に挿入される図示しないＢ−ＣＡＳカードに記憶させ、またスクランブルがかけられているＥＣＭ情報をデコードすることで、映像等の情報のデスクランブル制御を行ない、デジタル放送受信部４２内で時間的に連続した映像データとステレオ音声データとを生成し、生成した映像データを映像出力端子４３より、音声データを音声出力端子４４よりそれぞれ出力する。
【００６７】
これら映像出力端子４３及び音声出力端子４４は、このデジタル放送受信装置３５と共に客室内に設置された、図示しないモニタテレビまたはテレビ受像機（以下「モニタ装置」と称する）のビデオ入力端子、音声入力端子に接続され、このモニタ装置で映像と音声が再生出力されることで、客室のユーザ（宿泊客等）がデジタル放送を視聴可能となる。
【００６８】
このデジタル放送受信装置３５は、上述した如くＣＡＳカードスロット４５を備え、Ｂ−ＣＡＳカードを挿入することでホテル管理側が設定したデジタル放送の番組、チャンネルを視聴可能となるものであるが、該ユーザがＢ−ＣＡＳカードを容易に抜き出すことができないように、ＣＡＳカードスロット４５はデジタル放送受信装置３５の外面には一切露出せず、内蔵するものとしている。
【００６９】
なお、このＢ−ＣＡＳカードには固有のカードＩＤが予め記憶されており、ユーザの判別が可能となっていると共に、そのカードＩＤは読出されて後述する制御部４７内のフラッシュメモリに記憶されるものとする。
【００７０】
さらにデジタル放送受信装置３５には電話回線接続端子４６が接続される。この電話回線接続端子４６は、デジタル放送受信部４２内の図示しないモデムと接続されるもので、デジタル放送受信部４２内の制御に基づいて、データ放送の双方向サービスを行なう場合などにリクエスト情報等を図示しない電話回線を介して発信することも可能となっている。
【００７１】
制御部４７は、ＣＰＵとこのＣＰＵの動作プログラム等を不揮発的に記憶したフラッシュメモリ、及びワークメモリ等から構成され、上記デジタル放送受信部４２と磁気カードリーダ・ライタ４８、及びリモコン受光部４９と接続されて、このデジタル放送受信装置３５全体の制御動作を実行する。
【００７２】
磁気カードリーダ・ライタ４８は、常時においてはこのホテルの客室を使用するユーザ（宿泊客等）が有料番組を視聴するためにプリペイド式の磁気カードを挿入するものであって、磁気カードが挿入されると制御部４７は、そのカードに磁気的に記録されているシステムコードからプリペイドカードであることを認識した後に、記憶されている度数データを読出して内部のワークメモリに記憶し、有料放送の視聴が行なわれる毎にその料金に応じた度数を減算していく。
【００７３】
しかるに制御部４７は、この磁気カードリーダ・ライタ４８に配設されるカードの排出ボタン等が操作されて磁気カードを排出するに際して、磁気カードに最終的な度数データを書込んで度数データを更新設定した上で該磁気カードを排出させる。
【００７４】
なお、この磁気カードリーダ・ライタ４８では、ユーザが使用するプリペイド式の磁気カードの他に、ホテルの管理業務者がデジタル放送受信装置３５の導入時や動作変更、記憶データの確認時等に、各種の確認項目データを記録した確認カードを挿入することができるものとし、そのシステムコードが上記制御部４７内のフラッシュメモリに予め登録されているものとする。
【００７５】
リモコン受光部４９は、上記リモコンパッド３６でのキー操作に対応した赤外線変調信号を受信、復調してその操作内容を上記制制御部４７へ送出する。
【００７６】
次に上記実施の形態の動作について説明する。
【００７７】
図１１（Ａ）は、ホテルの各客室に設置されたデジタル放送受信装置３５の制御部４７が実行する、ＣＡＳカードの装着状態に対応した処理内容である。
【００７８】
その処理当初には、デジタル放送受信装置３５のＡＣ電源が投入されるとこれを認識した上で（ステップＢ０１）、ＣＡＳカードスロット４５にＢ−ＣＡＳカードが装着されているか否かを判断する（ステップＢ０２）。
【００７９】
ここで、Ｂ−ＣＡＳカードが装着されていないと判断した場合には、なんらかの理由によりＢ−ＣＡＳカードが抜き出されたものとして、制御部４７がＢ−ＣＡＳカードが装着されていない旨を例えば図示しないモニタ装置の表示画面上にて文字メッセージとして表示させた上で（ステップＢ０４）、上記ステップＢ０２からの処理に戻り、そのメッセージにしたがって実際にＢ−ＣＡＳカードが装着されるのを待機する。
【００８０】
一方、上記ステップＢ０２でＢ−ＣＡＳカードがＣＡＳカードスロット４５に装着されていると判断した場合には、次いでデジタル放送受信部４２内のメモリに当該Ｂ−ＣＡＳカードのカードＩＤを取得して記憶済みであるか否か判断し（ステップＢ０３）、取得済みであると判断した場合には再び上記ステップＢ０２からの処理に戻って、以後上記ステップＢ０２,Ｂ０３の処理を繰返し実行する。
【００８１】
また、上記ステップＢ０３でまだデジタル放送受信部４２内のメモリにＢ−ＣＡＳカードのカードＩＤを記憶していないと判断した場合には、あらためてＣＡＳカードスロット４５に装着されているＢ−ＣＡＳカードのカードＩＤを読出して取得する（ステップＢ０５）。
【００８２】
そして、装着されているＢ−ＣＡＳカードのカードＩＤを取得することができたか否かを判断し（ステップＢ０６）、できなかった場合にはＢ−ＣＡＳカードのカードＩＤを取得できなかった旨を例えば図示しないモニタ装置の表示画面上にて文字メッセージとしてエラー表示し（ステップＢ０８）、以上でこの図１１（Ａ）の処理を終了する。
【００８３】
また、上記ステップＢ０６で装着されているＢ−ＣＡＳカードのカードＩＤを取得することができたと判断した場合には、その取得したカードＩＤを制御部４７内のフラッシュメモリに記憶させ（ステップＢ０７）、以上でこの図１１（Ａ）の処理を終了する。
【００８４】
このように、ＣＡＳカードスロット４５に正しいＢ−ＣＡＳカードが装着されていれば、自動的にそのカードＩＤが制御部４７内のフラッシュメモリに記憶されることとなる。
【００８５】
図１１（Ｂ）は、デジタル放送受信装置３５の上記磁気カードリーダ・ライタ４８になんらかの磁気カードが挿入された場合の処理内容を示すものであり、その当初には、挿入された磁気カードからシステムコード及びユーザＩＤコードを読出して（ステップＢ１１）、そのシステムコードが制御部４７内のフラッシュメモリに予め記憶しておいた確認カードのシステムコードと一致するか否かを判断する（ステップＢ１２）。
【００８６】
ここで、取得した磁気カードのシステムコードが、記憶していた確認カードのシステムコードと一致しなかった場合は、磁気カードリーダ・ライタ４８に挿入されたのが確認カードではなく通常のプリペイドカードであり、そのプリペイドカードを挿入したのが客室のユーザ（宿泊客等）であるものとして、そのまま通常の有料番組の視聴等の他の動作（ステップＢ１４）に移行するものであるが、ここではその詳細な動作については記述を省略する。
【００８７】
一方、上記ステップＢ１２で挿入された磁気カードのシステムコードが確認カードの同コードと一致したと判断した場合には、磁気カードリーダ・ライタ４８に磁気カードを挿入したのがこのホテルのデジタル放送受信装置３５等の管理業務を行なう者であり、一般のユーザではないものとして、制御部４７のフラッシュメモリに記憶していたＢ−ＣＡＳカードのカードＩＤを読出して図示しないモニタ装置の画面等で表示させ（ステップＢ１３）、以上でこの処理を終了する。
【００８８】
このように、ＣＡＳカードスロット４５に装着されていたＢ−ＣＡＳカードが失われてしまった場合でも、制御部４７の内部のフラッシュメモリに記憶しておいたそのカードＩＤを読出して把握することができるため、不特定多数のユーザが利用する、多数のデジタル放送受信装置が設置されるホテルのような施設内でも、各デジタル放送受信装置３５に装着されているＢ−ＣＡＳカードのカードＩＤを確実に管理することが可能となる。
【００８９】
加えて、Ｂ−ＣＡＳカードが失われたと判断した時点では単にＢ−ＣＡＳが装着されていないことを報知するに止め、磁気カードリーダ・ライタ４８に管理業務を行なう者しか所持し得ない確認カードを挿入した時点で、失われたＢ−ＣＡＳカードのカードＩＤをあらためて表示するものとしたため、ある程度の秘匿性を保ちながら、管理者側がより容易にＢ−ＣＡＳカードのカードＩＤを把握することができる。
【００９０】
なお、上記実施の形態では、磁気カードリーダ・ライタ４８に確認カードが挿入された場合にのみ、ＣＡＳカードスロット４５から失われたＢ−ＣＡＳカードのカードＩＤを出力させるものとして説明したが、管理業務を行なう者を識別するための手段はこれに限らず、例えば客室のユーザが使用する上記リモコンパッド３６とは発信するＩＤコードが異なる、図示しないメンテナンス用のリモコンパッドで、失われたＢ−ＣＡＳカードのカードＩＤを出力させるようにしてもよいし、磁気カードリーダ・ライタ４８と確認カード、及びユーザも使用するリモコンパッド３６を組み合わせて操作するものとしてもよい。
【００９１】
このようにすることで、盗難などの不測の事態により、ＣＡＳカードスロット４５に装着していたＢ−ＣＡＳカードを紛失した場合でも、デジタル放送受信装置３５の制御部４７内のフラッシュメモリに記憶しておいた上記Ｂ−ＣＡＳカードのカードＩＤを上記確認カードやメンテナンス用のリモコンパッド等を用いて、容易に把握することが可能となる。
【００９２】
なお、上記第１及び第２の実施の形態は、いずれも宿泊施設であるホテルの施設館内に設置したデジタル放送受信システムあるいは個々の客室に設置したデジタル放送受信装置に適用した場合について説明したが、本発明はこれに限るものではなく、病院等の入院施設の病床毎に設置されるシステムまたは装置として適用することも同様に可能である。
【００９３】
その他、本発明は上記実施の形態に限らず、その要旨を逸脱しない範囲内で種々変形して実施することが可能であるものとする。
【００９４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９５】
【図１】本発明の第１の実施の形態に係るデジタル放送受信システム全体の構成を示す図。
【図２】同実施の形態に係るフロントコンピュータの回路構成を示すブロック図。
【図３】同実施の形態に係るデジタル放送受信装置の回路構成を示すブロック図。
【図４】同実施の形態に係るＢ−ＣＡＳカードのカードＩＤに関するポーリング処理の内容を示すフローチャート。
【図５】同実施の形態に係るフロントコンピュータ側で管理される各カードＩＤの内容を例示する図。
【図６】同実施の形態に係るフロントコンピュータ側で管理される各カードＩＤの内容を例示する図。
【図７】同実施の形態に係るフロントコンピュータ側で管理される各カードＩＤの内容を例示する図。
【図８】同実施の形態に係るフロントコンピュータ側で管理される異常検出の内容を例示する図。
【図９】同実施の形態に係る異常検出の表示画面を例示する図。
【図１０】本発明の第２の実施の形態に係る主としてデジタル放送受信装置の回路構成を示すブロック図。
【図１１】同実施の形態に係るＢ−ＣＡＳカードのカードＩＤに関する取扱いの処理内容を示すフローチャート。
【符号の説明】
【００９６】
１…ＢＳ・ＣＳ放送アンテナ、２…地上波デジタル放送アンテナ、３…混合器、４…フロントコンピュータ、５…双方向通信データ回線、６…混合器、７…同軸伝送ライン、８…デジタル放送受信装置、９…モニタ装置、１０…リモコンパッド、１１…コンピュータ本体、１２…モニタ、１３…キーボード、１４…マウス、１５…プリンタ、２１…分波器、２２…デジタル放送受信部、２３…映像出力端子、２４…音声出力端子、２５…ＣＡＳカードスロット、２６…電話回線接続端子、２７…制御部、２８…高周波モデム、２９…リモコン受光部、３１…ＢＳ・ＣＳ放送アンテナ、３２…地上波デジタル放送アンテナ、３３…混合器、３４…同軸伝送ライン、３５…デジタル放送受信装置、３６…リモコンパッド、４１…分波器、４２…デジタル放送受信部、４３…映像出力端子、４４…音声出力端子、４５…ＣＡＳカードスロット、４６…電話回線接続端子、４７…制御部、４８…磁気カードリーダ・ライタ、４９…リモコン受光部、ＧＲ…客室。
【図１】
0004802236.tif 000002
【図２】
0004802236.tif 000003
【図３】
0004802236.tif 000004
【図４】
0004802236.tif 000005
【図５】
0004802236.tif 000006
【図６】
0004802236.tif 000007
【図７】
0004802236.tif 000008
【図８】
0004802236.tif 000009
【図９】
0004802236.tif 000010
【図１０】
0004802236.tif 000011
【図１１】
0004802236.tif 000012